(57)【要約】【課題】深さ方向に先細りの窪み空間が形成された金属体の先端近傍の表面において、励起光の進行方向に表面プラズモンの電場増強を適切かつ充分に行える表面プラズモンの電場増強構造を提供する。【解決手段】表面プラズモンの電場増強構造１００は、金属体１１により区画された深さ方向に先細りの窪み空間１４内の誘電体１２に、その深さ方向に向けて入射され、かつラジアル偏光の光１５が、金属体１１で局在化された表面プラズモンＳＰと光カップリング可能なように構成されている光カップリング手段１７を備え、表面プラズモンＳＰは、ラジアル偏光の光１５との間の光カップリングにより励起され、誘電体１４の先端近傍に対応する金属体１３の表面において、光１５の進行方向に電場増強されるように、構成されている。【選択図】図１
2008196992.tif 000002
【特許請求の範囲】
【請求項１】
金属体により区画された深さ方向に先細りの窪み空間内の誘電体に、その深さ方向に向けて入射されたラジアル偏光の光が、前記金属体で局在化された表面プラズモンと光カップリング可能なように構成されている光カップリング手段を備え、
前記表面プラズモンは、前記ラジアル偏光の光との間の前記光カップリングにより励起され、前記誘電体の先端近傍に対応する前記金属体の表面において、前記光の進行方向に電場増強される、表面プラズモンの電場増強構造。
【請求項２】
前記誘電体の相対する部分が、前記誘電体の頂点を通り、かつ前記誘電体の底面に垂直に引いた仮想直線に対して対称的に直線状に傾斜している請求項１記載の表面プラズモンの電場増強構造。
【請求項３】
前記誘電体の相対する部分が、前記誘電体の頂点を通り、かつ前記誘電体の底面に垂直に引いた仮想直線に対して対称的に弓状に傾斜している請求項１記載の表面プラズモンの電場増強構造。
【請求項４】
前記光は、光強度のピークがドーナツ状に分布しているラゲールガウシアンビームである請求項１記載の表面プラズモンの電場増強構造。
【請求項５】
前記誘電体が円錐形状であり、前記誘電体の底面の円周に沿うよう、前記ラゲールガウシアンビームの光強度が円環状に分布している請求項４記載の表面プラズモンの電場増強構造。
【請求項６】
前記光カップリング手段は、前記誘電体としての光プリズムと、
前記光プリズムの側面に直接に接触してなる前記金属体としての金属薄膜と、
を備え、
前記光プリズムと前記金属薄膜との間の境界で前記ラジアル偏光の光が全反射されることにより、前記表面プラズモンは、前記ラジアル偏光の光との間で光カップリングする請求項１乃至５の何れかに記載の表面プラズモンの電場増強構造。
【請求項７】
前記光カップリング手段は、前記金属体との間に隙間を挟んで対向され、前記窪み空間内の前記誘電体としての光プリズムと、
前記隙間に存在する、前記誘電体よりも屈折率が低い誘電層と、
を備え、
前記光プリズムと前記誘電層との間の境界で前記ラジアル偏光の光が全反射されることにより、前記表面プラズモンは、前記ラジアル偏光の光との間で光カップリングする請求項１乃至５の何れかに記載の表面プラズモンの電場増強構造。
【請求項８】
前記誘電層は、空気から構成される層である請求項７記載の表面プラズモンの電場増強構造。
【請求項９】
金属体により区画された深さ方向に先細りの窪み空間に、その深さ方向に向けて入射され、かつラジアル偏光の光が、前記金属体で局在化された表面プラズモンと光カップリング可能なように構成されている光カップリング手段を備えた表面プラズモンの電場増強構造であって、
前記光カップリング手段は、前記金属体に形成された回折格子を更に備え、
前記表面プラズモンは、前記ラジアル偏光の光の波長の前記回折格子による選択に基づく前記ラジアル偏光の光との間の光カップリングより励起され、前記誘電体の先端近傍に対応する前記金属体の表面において、前記光の進行方向に電場増強される、表面プラズモンの電場増強構造。
【請求項１０】
前記光は、光強度のピークがドーナツ状に分布しているラゲールガウシアンビームである請求項９記載の表面プラズモンの電場増強構造。
【請求項１１】
前記窪み空間が円錐に区画されており、前記窪み空間の裾の円周に沿うよう、前記ラゲールガウシアンビームの光強度が円環状に分布している請求項１０記載の表面プラズモンの電場増強構造。
【発明の詳細な説明】
【技術分野】
【０００１】
本発明は、表面プラズモンの電場増強構造に関する。
【背景技術】
【０００２】
表面プラズモンポラリトン波（以下、「表面プラズモン」と略す）とは、金属の表面に局在化された自由電子の集団振動であり、金属に光が照射された際に、電気分極を伴う波が光の電場と結合して形成された連成波である。空間を伝搬する光は、通常、位相速度が一致せず表面プラズモンとは相互作用（カップリング）しないのに対し、物質の境界面近傍に存在する伝搬しない光である近接場光とはカップリングする。
【０００３】
金属表面での特殊な条件により表面プラズモンと電磁波（光）とのカップリングに基づいて表面プラズモン共鳴励起が起こると、表面近傍での電場強度が増強されるため、従来から、これを利用した表面増強ラマン散乱（ＳＥＲＳ）現象が研究されている。例えば、金属表面の微小構造（例えば金属表面の凹凸構造）により局所的な表面プラズモンが励起され、このことが、表面増強ラマン散乱を引き起こす原因の一つと考えられている。
【０００４】
しかしながら、この場合、表面プラズモンによる電場増強がどの場所に起こるかは、偶然に任され、このような偶発的に起こる表面プラズモンによる電場増強は、光カプラや光集積回路などの光デバイスのような、表面プラズモンの電場増強が空間的に制御されることを前提とする技術の応用には適していない。
【０００５】
そこで、深さ方向に先細り（例えばテーパ状）の窪み空間が形成された金属体（以下、「テーパ金属構造」と略す）により、この窪み空間の先端近傍に対応する金属体の表面（金属面）において表面プラズモンの電場増強が起こると理論的に予測されていることから、表面プラズモンの電場増強を空間的に制御する試みの一環として、このようなテーパ金属構造による表面プラズモンの電場増強に向けた取り組みがなされている。
【０００６】
例えば、このようなテーパ金属構造の一例としての、円錐形状の光プリズム（以下、「円錐プリズム」と略す）の側面に、ＡｕやＡｇ等の金属薄膜が蒸着された従来構造がある（特許文献１参照）。言い換えれば、この従来構造は、深さ方向に先細りの円錐形状の窪み空間が形成された金属体（金属薄膜）と、この窪み空間に配設された円錐プリズムと、を備えている。
【０００７】
また、この従来構造の表面プラズモンの光励起（レーザ光と表面プラズモンとの間のカップリング）には、円錐プリズムと金属薄膜との境界で光を全反射させ、その境界面にある金属薄膜内にエバネッセント波を形成するというクレッチマン光学配置が用いられている。よって、この従来構造によれば、レーザ光を円錐プリズムの底面から円錐プリズム内（窪み空間内）に入射させることにより、円錐プリズムの頂点で表面プラズモンが局在化され、これにより、円錐プリズムの頂点で、表面プラズモンの電場増強が得られるとされている。
【特許文献１】特開２００２−１１６１４９号公報（図２）
【発明の開示】
【発明が解決しようとする課題】
【０００８】
ところで、上述の特許文献１記載によれば、円錐プリズムにより表面プラズモンを励起させる目的で、Ａｒレーザから直線偏光のレーザ光（励起光）が円錐プリズムの底面から円錐プリズム内に入射されている（例えば、特許文献１の段落〔００１４〕参照）。なお、直線偏光の光とは、光波の電場の振動方向が一方向である光を指す。
【０００９】
これに対し、本件発明者等は、テーパ金属構造（例えば、上述の円錐プリズムの側面に金属薄膜を蒸着した構造）の先端近傍の金属薄膜の表面において、光の進行方向に電場増強を適切かつ充分に起こすには、ラジアル偏光の光を用いることが必須要件であると考えている。この理由については、後述する。なお、ラジアル偏光の光とは、電場の振動方向が放射状分布である光を指す。
【００１０】
よって、端的に言えば、特許文献１に記載された従来構造は、表面プラズモンによる巨大な電場増強を図る観点から見て最適な設計とは言い難く、中途半端な技術であり、未だ改善の余地がある。
【００１１】
本発明は、このような事情に鑑みてなされたものであり、深さ方向に先細りの窪み空間が形成された金属体の先端近傍の表面において、光の進行方向に表面プラズモンの電場増強を適切かつ充分に行える表面プラズモンの電場増強構造を提供することを目的とする。
【課題を解決するための手段】
【００１２】
上記課題を解決するため、本発明は、金属体により区画された深さ方向に先細りの窪み空間内の誘電体に、その深さ方向に向けて入射されたラジアル偏光の光が、前記金属体で局在化された表面プラズモンと光カップリング可能なように構成されている光カップリング手段を備え、
前記表面プラズモンは、前記ラジアル偏光の光との間の前記光カップリングにより励起され、前記誘電体の先端近傍に対応する前記金属体の表面において、前記光の進行方向に電場増強される、表面プラズモンの電場増強構造を、提供する。
【００１３】
つまり、本発明の表面プラズモンの電場増強構造では、ラジアル偏光の光の進行方向の電場の振動成分が重なり合い、この方向に大きな電場の振動成分をもつ光の場が形成される。
【００１４】
よって、この表面プラズモンは、このようなラジアル偏光の光との間の光カップリングにより励起された場合には、誘電体の先端近傍に対応する金属体の表面において、光の進行方向に適切かつ充分に電場増強できる。
【００１５】
なお、ここで、前記誘電体の相対する部分が、前記誘電体の頂点を通り、かつ前記誘電体の底面に垂直に引いた仮想直線に対して対称的に直線状に傾斜してもよい。
【００１６】
これにより、表面プラズモンの共鳴励起が起こった際の優れたエネルギー効率が発揮され好適である。
【００１７】
また、前記誘電体の相対する部分が、前記誘電体の頂点を通り、かつ前記誘電体の底面に垂直に引いた仮想直線に対して対称的に弓状に傾斜してもよい。
【００１８】
これにより、表面プラズモンの共鳴励起が起こるラジアル偏光の光の入射方向の角度依存性が緩和され、この光の入射方向の調整作業を効率化できるという利点がある。よって、上述の表面プラズモンの電場増強構造は、簡易的に表面プラズモンの共鳴励起を図りたいという場合に有益である。
【００１９】
また、前記光は、光強度のピークがドーナツ状に分布しているラゲールガウシアンビームであることが好ましい。そして、この場合、前記誘電体が円錐形状であり、前記誘電体の底面の円周に沿うよう、前記ラゲールガウシアンビームの光強度が円環状に分布していることが好ましい。
【００２０】
このようにして、ラジアル偏光のラゲールガウシアンビームが、その円環状の光強度ピークの分布を誘電体の底面の円周に沿うように集光されると、このビームの光エネルギーを、表面プラズモンの集束効果により集中させて、効率良く利用でき好適ある。
【００２１】
ここで、クレッチマン光学配置を用いる前記光カップリング手段は、前記誘電体としての光プリズムと、前記光プリズムの側面に直接に接触してなる前記金属体としての金属薄膜と、を備えており、
前記光プリズムと前記金属薄膜との間の境界で前記ラジアル偏光の光が全反射されることにより、前記表面プラズモンは、前記ラジアル偏光の光との間で光カップリングしてもよい。
【００２２】
これにより、後述のオット光学配置を用いる光カップリング手段よりも構成が簡単な光カップリング手段を実現でき好適である。
【００２３】
一方、オット光学配置を用いる前記光カップリング手段は、前記金属体との間に隙間を挟んで対向され、前記窪み空間内の前記誘電体としての光プリズムと、前記隙間に存在する、前記誘電体よりも屈折率が低い誘電層と、を備え、
前記光プリズムと前記誘電層との間の境界で前記ラジアル偏光の光が全反射されることにより、前記表面プラズモンは、前記ラジアル偏光の光との間で光カップリングしてもよい。
【００２４】
これにより、薄膜金属に限らず、バルク状の金属体であっても表面プラズモンを励起でき有益な場合がある。
【００２５】
前記誘電層は空気から構成される層であってもよい。
【００２６】
これにより、誘電層を簡便に形成できる。
【００２７】
また、本発明の表面プラズモンの電場増強構造は、金属体により区画された深さ方向に先細りの窪み空間に、その深さ方向に向けて入射され、かつラジアル偏光の光が、前記金属体で局在化された表面プラズモンと光カップリング可能なように構成されている光カップリング手段を備えるものであって、
前記光カップリング手段は、前記金属体に形成された回折格子を更に備え、
前記表面プラズモンは、前記ラジアル偏光の光の波長の前記回折格子による選択に基づく前記ラジアル偏光の光との間の光カップリングより励起され、前記誘電体の先端近傍に対応する前記金属体の表面において、前記光の進行方向に電場増強されるように、構成されてもよい。
【００２８】
このような回折格子を採用することにより、薄膜金属に限らず、バルク状の金属体であっても表面プラズモンを励起できるとともに、光学プリズムを必要とせず、有益な場合がある。
【００２９】
また、この場合も、上述のとおり、前記光は、光強度のピークがドーナツ状に分布しているラゲールガウシアンビームであることが好ましい。
【００３０】
また、前記窪み空間が円錐に区画されており、前記窪み空間の裾の円周に沿うよう、前記ラゲールガウシアンビームの光強度が円環状に分布していることが好ましい。
【００３１】
このようにして、ラジアル偏光のラゲールガウシアンビームが、その円環状の光強度ピークの分布を窪み空間の裾の円周に沿うように集光されると、このビームの光エネルギーを、表面プラズモンの集束効果により集中させて、効率良く利用でき好適ある。
【発明の効果】
【００３２】
本発明によれば、深さ方向に先細りの窪み空間が形成された金属体の先端近傍の表面において、光の進行方向に表面プラズモンの電場増強を適切かつ充分に行える表面プラズモンの電場増強構造が得られる。
【発明を実施するための最良の形態】
【００３３】
以下、本発明を実施するための実施形態について、図面を参照しながら説明する。
【００３４】
（第１実施形態）
まず、本発明の第１実施形態による表面プラズモンの電場増強構造の構成について述べる。
【００３５】
図１は、本実施形態による表面プラズモンの電場増強構造の一構成例を模式的に示した断面図である。なお、以下の説明の便宜上、図１（後述の図４も同じ）において、表面プラズモンＳＰを励起させる目的のラジアル偏光のドーナツ状（円環状）のラゲールガウシアンビーム１５(Laguerre-Gaussian Beam；以下「ラジアル偏光ＬＧビーム１５」と略す）の進行方向を「Ｚ方向」とし、この「Ｚ方向」に垂直かつ紙面に沿った方向を「Ｘ方向」としている。なお、ラジアル偏光ＬＧビーム１５の詳細な内容については後述する。
【００３６】
表面プラズモンＳＰの電場増強構造１００は、図１に示したように、光カップリング手段１７と、ラジアル偏光ＬＧビーム１５を、この光カップリング手段１７に向けて入射させる公知のラジアル偏光ＬＧビーム形成用の光学系１６と、を備える。
【００３７】
光カップリング手段１７は、表面プラズモンＳＰの電場増強構造１００の主要な構成をなしており、これは、図１に示すように、深さ方向（Ｚ方向）に先細り（例えばテーパ状）の窪み空間１４が形成された金属薄膜からなる金属体１１と、金属体１１の傾斜内面１１ａ（金属面）により区画された窪み空間１４の全域を占めるよう、かつ上述の金属体１１の傾斜内面１１ａに接触するように設けられた高屈折率ガラスからなる誘電体１２とを備える。
【００３８】
なお、金属体１１より外側の外部領域１３は、通常は、大気空間（空気層）であるが、この外部領域１３を、誘電体１２よりも屈折率が低い誘電部材で構成してもよい。
【００３９】
このように、光カップリング手段１７は、傾斜内面１１ａにより区画された深さ方向に先細りの窪み空間１４を占める誘電体１２内に、その深さ方向（Ｚ方向）に向けて入射され、かつラジアル偏光ＬＧビーム１５が、金属体１１で局在化された表面プラズモンＳＰと光カップリング可能なように構成されている。
【００４０】
なお、表面プラズモンＳＰを、光学プリズム（ここでは誘電体１２）を用いて励起する方法には、誘電体と金属薄膜とをわずかな隙間に存在する誘電層（例えば、空気層）を挟んで対向させたオット（Otto）光学配置を採用することもあるが、本実施形態では、上述のとおり、誘電体１２の側面１２ａに金属薄膜を直接付けたクレッチマン（Kretschmann）光学配置が用いられている。これにより、オット光学配置を用いる光カップリング手段よりも構成が簡単な光カップリング手段を実現でき好適である。
【００４１】
なお、オット光学配置を用いた表面プラズモンの電場増強構造については、後述の第２実施形態において述べる。
【００４２】
上述の金属体１１は、表面プラズモンＳＰを形成できる薄膜化可能な材料を用いて製作され、金属体１１の材料例としては、金、銀、アルミニウム、銅およびプラチナがある。その中でも、金は、空気中で酸化され難く好適である。
【００４３】
誘電体１２は、例えば、公知の光学ガラス材料から構成された光学プリズムであり、その３次元形状は、深さ方向に向かって先鋭化（角度θ）する形であれば如何なる形状であってもよいが、ここでは、図１に示すように、誘電体１２の相対する側面１２ａの部分が、誘電体１２の頂点Ｐを通り、かつ誘電体１２の底面に垂直に引いた仮想直線Ｌに対して対称的に傾斜するテーパ状になっている。このような３次元形状を例示すると、円錐形状や正四角錐形状がある。しかし、これに限らず、誘電体１２は、三角錐形状や正四角錐形状以外の四角錐形状であってもよく、更には、５角以上の多角錐形状であってもよい。但し、本実施形態のように、ドーナツ状（円環状）のラゲールガウシアンビームを、金属体１１の表面の表面プラズモンＳＰを励起させる励起光として用いる場合には、金属体１１の傾斜内面１１ａ（誘電体１２の底面の周囲）が、ラゲールガウシアンビームのドーナツ状の光強度ピークに沿うように、誘電体１２の形状は円錐であることが好ましい。そして、この場合には、表面プラズモンＳＰの電場増強構造１００は、エッチングによる上述の円錐形状の誘電体１２の形成と、この誘電体１２の側面１２ａ（円錐面）の略全域についての、適宜の真空プロセス（真空蒸着やスパッタリング）に基づく金属薄膜からなる金属体１１のコーティング形成と、によって、極めて簡便に製作することができる。
【００４４】
よって、以下の説明では、窪み空間１４が円錐状に区画されるものとし、これを必要に応じて円錐空間１４と呼び、誘電体１２が円錐状の窪み空間１４にぴったり嵌まった円錐状であるものとし、これを必要に応じて円錐プリズム１２（円錐頂角θ）と呼ぶ。
【００４５】
次に、本実施形態の特徴部である表面プラズモンＳＰを励起されるラジアル偏光ＬＧビーム１５の内容について説明する。
【００４６】
図２は、ラジアル偏光ＬＧビームの光強度分布および偏光について模式的に示した図である。
【００４７】
図２のハッチング部分は、ラジアル偏光ＬＧビーム１５の光強度の強い部分を示している。また、図２の矢印は、ラジアル偏光ＬＧビーム１５の偏光方向（電場の振動方向）を示している。なお、図２では、電場ベクトルが外側に最も大きくなったラジアル偏光ＬＧビーム１５の様子と、電場ベクトルが内側に最も大きくなったラジアル偏光ＬＧビーム１５の様子と、を、代表的に図示している。
【００４８】
図２のハッチング部分に示したように、ラジアル偏光ＬＧビーム１５の光強度のピークは、円環状（ドーナツ状）に分布している。このため、円錐プリズム１２に向けて入射されるラジアル偏光ＬＧビーム１５の光強度のピークが、円錐プリズム１２の底面の外周に沿うように、ラジアル偏光ＬＧビーム１５の光強度分布を調整すれば、ラジアル偏光ＬＧビーム１５の光エネルギーを効率的に表面プラズモンＳＰに与えることができ好適である。
【００４９】
また、図２の矢印に示したように、ラジアル偏光ＬＧビーム１５の電場の振動方向は、この円環の動径方向であり、各々の電場ベクトルの大きさは同じである。つまり、ラジアル偏光ＬＧビーム１５は、端的には、方位角（アジミュサル）対称の動径方向（ラジアル）偏光ビームである。
【００５０】
このようなラジアル偏光のビームは、これを上述の光カップリング手段１７と組み合わせた場合には、従来構造（特許文献１）で用いられた直線偏光のビームと比べて、以下に述べる特別の効果を発揮する。
【００５１】
なお、このラジアル偏光のビームの好適な一例が、上述のラジアル偏光ＬＧビーム１５であるが、以下に述べる効果については、ラゲールガウシアンビーム（ドーナツ状ビーム）には限定されず、他のラジアル偏光のビーム、例えば、ガウシアン分布のラジアル偏光ビームであっても奏する。
【００５２】
図３は、表面プラズモンを励起させる光のフォーカシング時の電場ベクトルの様子を模式的に描いた図である。図３（ａ）は、本実施形態で使用されるラジアル偏光のビームの電場ベクトルを示した図であり、図３（ｂ）は、従来構造（特許文献１）で使用される直線偏光のビームの電場ベクトルを示した図である。
【００５３】
図３（ａ）に示したように、ラジアル偏光のビームの電場ベクトルの合成により、ラジアル偏光ビームのＺ方向（光の進行方向）の電場の振動成分が重なり合い（Ｘ方向の電場の振動成分は打ち消し合う）、Ｚ方向に大きな電場の振動成分をもつ光の場が作られる。このため、ラジアル偏光のビームにより励起される表面プラズモンＳＰは、円錐プリズム１２の先端近傍の金属体１１の表面（傾斜外面１１ｂ）においてＺ方向に電場増強される。
【００５４】
図７は、円錐形状の誘電体の先端近傍の金属体の表面における表面プラズモンの電場増強の様子を電気力線で表した図である。なお、図中のスケールは、波長寸法により規格化されている。
【００５５】
図７に示した電気力線は、誘電体の物性条件（誘電率）として空気の誘電率を採用して、金属体の物性条件（誘電率）として金の誘電率を採用した際の、誘電体１２の円錐頂角を１０°に設定した場合について、準変数分離法というテーパ状の表面プラズモンの現象を解析的に理解するために開発された偏微分方程式の手法により、磁場のＭａｘｗｅｌｌ方程式を数値計算で解いて得られた結果である。なお、ここでは、上述の解析手法の詳細な説明は省略する。
【００５６】
図７によれば、円錐形状の誘電体の先端に行くほど、電気力線が密になることが分かり、これにより、誘電体の先端において電場増強がなされることが裏付けられている。また、誘電体の先端の電気力線の様子から、ここでの電場が、Ｚ方向の成分だけになっていることも理解できる。
【００５７】
一方、図３（ｂ）に示したように、直線偏光のビームの電場ベクトルの合成により、直線偏光ビームのＸ方向（励起光の進行方向に垂直な方向）の電場の振動成分が重なり合い（Ｚ方向の電場の振動成分は打ち消し合う）、Ｘ方向に大きな電場の振動成分をもつ光の場が作られる。このため、直線偏光のビームにより励起される表面プラズモンＳＰは、円錐プリズム１２の先端近傍の金属体１１の表面（傾斜外面１１ｂ）においてＸ方向に電場増強される。
【００５８】
ところで、ラジアル偏光のビームによる電場が重なり合う方向（Ｚ方向）は、光の進行方向であることから、このようなラジアル偏光のビームにより増強される表面プラズモンＳＰの電場の振動は縦波であり、横波の光と再びカップリングし難いのに対し、直線偏光のビームによる電場が重なり合う方向（Ｘ方向）は、光の進行方向に垂直な方向であることから、このような直線偏光のビームにより増強される表面プラズモンＳＰの電場の振動は横波であり、横波の光と再びカップリングし易い。
【００５９】
そうすると、上述の従来構成のような直線偏光のビームに基づいて増強された表面プラズモンＳＰの電場の振動エネルギーは、光放射モードとして外部に放出され易く、直線偏光のビームにより励起される表面プラズモンＳＰは、適切かつ充分に電場を増強できないと危惧される。
【００６０】
これに対し、本実施形態のラジアル偏光のビームに基づいて増強された表面プラズモンＳＰの電場の振動エネルギーは、光放射モードとして外部に放出され難く、ラジアル偏光のビームにより励起される表面プラズモンＳＰは、適切かつ充分に電場を増強できると期待される。
【００６１】
更に、ラジアル偏光のビームを用いる場合には、円錐プリズム１２の先端近傍の金属体１１の表面からＺ方向に隙間を開けて適宜の金属部材（図示せず）を配置すると、Ｚ方向に電場増強された表面プラズモンＳＰが、当該金属部材との間の相互作用で更に増強（ギャップモード励起）され、これにより、表面プラズモンＳＰの電場増強がより積極的に図れて好適である。
【００６２】
次に、本実施形態の表面プラズモンＳＰの電場増強構造１００の動作の一例を、図１を参照しながら説明する。
【００６３】
まず、光学系１６から出射されたラジアル偏光ＬＧビーム１５（図２参照）が、その円環状の光強度ピークの分布を円錐プリズム１２の底面の円周に沿うように集光され、所定の入射角で光カップリング手段１７の円錐プリズム１２内に入射する。これにより、ラジアル偏光ＬＧビーム１５の光エネルギーを、表面プラズモンＳＰの集束効果により集中させて、効率良く利用できる。
【００６４】
ラジアル偏光ＬＧビーム１５の入射角は、円錐プリズム１２の円錐頂角θとの関係から、表面プラズモンＳＰの共鳴励起が起こる共鳴角に設定されている。共鳴角は、ラジアル偏光ＬＧビーム１５が、円錐プリズム１２の側面１２ａと金属体１１の傾斜内面１１ａとの間の境界で全反射できる角度の範囲内に存在しているが、このような共鳴角は、公知であり、ここでは、詳細な説明は省く。
【００６５】
ラジアル偏光ＬＧビーム１５が、上述の境界で全反射すると、これにより生じたエバネッセント波（図示せず）が、金属体１１にしみ出し、その結果、表面プラズモンＳＰが共鳴励起される。
【００６６】
なお、表面プラズモンＳＰは、金属体１１の表面（傾斜外面１１ｂ）近傍の外部領域１３において、この表面に垂直な方向に電場振動主成分をもつ波であり、当該方向に電場振動する光（Ｐ偏光の光）が、表面プラズモンＳＰの励起光として機能するが、以上に述べた如く、ラジアル偏光ＬＧビーム１５は、この条件を満足している。
【００６７】
このようにして、表面プラズモンＳＰとの間で位相整合条件を満たす局在化されたエバネッセント波を用いて、表面プラズモンＳＰはラジアル偏光ビームＬＧと光カップリングできる。その結果、ラジアル偏光ＬＧビーム１５により励起される表面プラズモンＳＰが、円錐プリズム１２の先端近傍の金属体１１の表面（傾斜外面１１ｂ）において光の進行方向（Ｚ方向）に適切かつ充分に電場増強される。
【００６８】
以上に述べた如く、本実施形態の表面プラズモンの電場増強構造１００は、金属体１１の傾斜内面１１ａにより区画された先細りの円錐空間１４を占める誘電体１２内に、その深さ方向に向けて入射されたラジアル偏光ＬＧビーム１５が、金属体１１で局在化された表面プラズモンＳＰと光カップリング可能なように構成されている光カップリング手段１７を備える。このため、ラジアル偏光ＬＧビーム１５のＺ方向（光の進行方向）の電場の振動成分が重なり合い、Ｚ方向に大きな電場の振動成分をもつ光の場が形成される。よって、この表面プラズモンＳＰは、このようなラジアル偏光ＬＧビーム１５との間の光カップリングにより励起された場合には、誘電体１２の先端近傍に対応する金属体１１の表面（傾斜外面１１ｂ）において、光の進行方向（Ｚ方向）に適切かつ充分に電場増強できる。
【００６９】
また、本実施形態の表面プラズモンの電場増強構造１００では、ドーナツ状（円環状）のラゲールガウシアンビームを、金属体１１の表面の表面プラズモンＳＰを励起させる励起光として用いている。このため、ラジアル偏光ＬＧビーム１５が、その円環状の光強度ピークの分布を円錐プリズム１２の底面の円周に沿うように集光されると、ラジアル偏光ＬＧビーム１５の光エネルギーを、表面プラズモンＳＰの集束効果により集中させて、効率良く利用できる。
【００７０】
〔変形例〕
ここまで、カップリング手段１７の円錐形状の誘電体１２では、図１に示すように、誘電体１２の相対する側面１２ａの部分が、誘電体１２の頂点Ｐを通り、かつ誘電体１２の底面に垂直に引いた仮想直線Ｌに対して対称的に直線状に傾斜している例を述べたが、テーパ状の誘電体の構成は、これには限定されない。
【００７１】
図４は、第１実施形態の変形例による表面プラズモンの電場増強構造の一構成例を模式的に示した断面図である。
【００７２】
つまり、図４に示すように、テーパ状の誘電体の一変形例として、誘電体１１２の相対する側面１１２ａの部分を、誘電体１１２の頂点Ｐを通り、かつ誘電体１１２の底面に垂直に引いた仮想直線Ｌに対して、その頂角θ’がθ’＜θとなるように、窪み空間１１４の方向にゆるく弓状に湾曲するように対称的に傾斜させてもよい。この場合、この誘電体１１２の側面を覆っている金属体１１１も、当該側面１１２ａと同程度の曲率、例えば同じ曲率、で湾曲する。このような誘電体１１２の構成により、本変形例の表面プラズモンＳＰの電場増強構造１１０は、以下のような効果を奏する。
【００７３】
本実施形態（図１）で述べた円錐プリズム１２の円錐頂角θは、上述の共鳴角を支配する角度であり、表面プラズモンＳＰの共鳴励起が逸れないよう、この円錐頂角θとの関係で、ラジアル偏光ＬＧビーム１５の入射方向を適切に調整する必要がある。しなしながら、この調整作業に不慣れな場合には、調整作業に手間取り、ラジアル偏光ＬＧビーム１５の最適な入射方向の調整が困難な場合もある。
【００７４】
そこで、本変形例の表面プラズモンＳＰの電場増強構造１１０では、図４に示したように、誘電体１１２の側面１１２ａを窪み空間１１４側に向かってゆるく弓状に湾曲させることにより、ラジアル偏光ＬＧビーム１５（入射光）と金属体１１１との間の交差角を、窪み空間１１４の深さ方向に沿って連続的に変化させることができる。よって、本変形例の表面プラズモンＳＰの電場増強構造１１０には、表面プラズモンＳＰの共鳴励起が起こるラジアル偏光ＬＧビーム１５の入射方向の角度依存性が緩和され、ラジアル偏光ＬＧビーム１５の入射方向の調整作業を効率化できるという利点がある。反面、この場合、本実施形態（図１）で述べた円錐プリズム１２に比べて、表面プラズモンＳＰの共鳴励起が起こった際のエネルギー効率は若干劣ることにもなる。
【００７５】
つまり、本変形例の表面プラズモンＳＰの電場増強構造１１０は、表面プラズモンＳＰの共鳴励起のエネルギー効率を若干犠牲にしても、簡易的に表面プラズモンＳＰの共鳴励起を図りたいという場合に有益である。
（第２実施形態）
第１実施形態の表面プラズモンＳＰの電場増強構造１００では、光カップリング手段１７としてクレッチマン光学配置が採用されている。第２実施形態では、これに代えて、オット光学配置を用いる例を述べる。
【００７６】
なお、光カップリング手段の構成以外の本実施形態の表面プラズモンＳＰの電場増強構造の構成は、第１実施形態の表面プラズモンＳＰの電場増強構造１００の構成と同じであるので、ここでは、両者に共通する構成および動作の説明は省略する。
【００７７】
図５は、本実施形態の表面プラズモンの電場増強構造の光カップリング手段を模式的に示した断面図である。なお、図５では、光カップリング手段２１７以外の構成の図示は省略している。
【００７８】
光カップリング手段２１７は、図５に示したように、深さ方向に先細り（例えばテーパ状）の窪み空間２１４が形成された金属体を備える。
【００７９】
上述の金属体は、図５に示した如く、金属基板２１１であっても良く、この場合には、適宜の穴あけ法（例えばフォーカスイオンビーム法）により窪み空間２１４が金属基板２１１の表面側から形成される。そして、この窪み空間２１４は、断面視において、金属基板２１１の裏面との間の一対のなす角φが同程度（好ましくは同一）になるように傾斜するテーパ状の金属基板２１１の傾斜面２１１ａにより区画されている。
【００８０】
また、金属体は、基材としての誘電基板（図示せず）を有しても良く、この場合には、この誘電基板に、適宜の穴あけ法（例えばフォーカスイオンビーム法）により窪み空間２１４と同じ類の穴（図示せず）が形成された後、表面プラズモンＳＰが局在化された金属として機能する金属薄膜（図示せず）が、この穴を区画する誘電基板の表面を覆うようにして真空蒸着形成または真空スパッタリング形成される。
【００８１】
金属基板２１１や金属薄膜の材料例としては、金、銀、アルミニウム、銅およびプラチナがあるが、その中でも、金は、空気中で酸化され難く好適である。
【００８２】
窪み空間２１４の３次元形状は、深さ方向に向かって先鋭化（角度θ）する形であれば如何なる形状であってもよいが、第１実施形態で述べた如く、表面プラズモンＳＰの励起光としてドーナツ状（円環状）のラゲールガウシアンビームを用いる場合には、円錐形状であることが好ましい。
【００８３】
また、光カップリング手段２１７は、更に、金属体２１１の傾斜面２１１ａとの間にわずかな隙間に存在する誘電層２１３を挟んで対向され、かつ窪み空間２１４に埋設された誘電体２１２を備える。
【００８４】
誘電体２１２は、例えば、公知の光学ガラス材料から構成されており、これにより、誘電体２１２のうちの窪み空間２１４に埋設された部分は、光学プリズムとして機能する（以下、この部分を「誘電体２１２の光学プリズム部分」と略す）。つまり、この誘電体２１２の光学プリズム部分は、図５に示すように、相対する側面２１２ａの部分が、誘電体２１２の光学プリズムの部分の頂点Ｐを通り、かつ金属板２１１の表面に垂直に引いた仮想直線Ｌに対して対称的に傾斜するテーパ状になっているが、ここでは、上述のとおり、この誘電体２１２の光学プリズム部分は、誘電層２１３を介して窪み空間２１４にぴったり嵌るように円錐状に形成されることが好ましい。
【００８５】
誘電層２１３は、誘電体２１２よりも屈折率が低い誘電材料であれば如何なる材料を用いても形成してもよいが、このような誘電材料として空気を用いることが最も簡便であり好適である。
【００８６】
次に、本実施形態の光カップリング手段２１７の光カップリング動作の一例について図５を参照しながら説明する。
【００８７】
まず、光学系（図示せず）からで射されたラジアル偏光ＬＧビーム１５（図２参照）が、その円環状の光強度ピークの分布を円錐状の窪み空間２１４の底面の円周に沿うように集光され、所定の入射角で光カップリング手段２１７の誘電体２１２の光学プリズム部分内に入射する。これにより、ラジアル偏光ＬＧビーム１５の光エネルギーを、表面プラズモンＳＰの集束効果により集中させて、効率良く利用できる。
【００８８】
ラジアル偏光ＬＧビーム１５の入射角は、窪み空間２１４（誘電体２１２の光学プリズム部分）の円錐頂角θとの関係から、表面プラズモンＳＰの共鳴励起が起こる共鳴角に設定されている。共鳴角は、ラジアル偏光ＬＧビーム１５が、誘電体２１２の光学プリズム部分と誘電層２１３との間の境界で全反射できる角度の範囲内に存在しているが、このような共鳴角は、公知であり、ここでは、詳細な説明は省く。
【００８９】
ラジアル偏光ＬＧビーム１５が、上述の境界で全反射すると、これにより生じたエバネッセント波（図示せず）が、誘電層２１３にしみ出し、その結果、表面プラズモンＳＰが共鳴励起される。なお、表面プラズモンＳＰは、金属体２１１の表面（傾斜面２１１ａ）近傍の誘電層２１３において、この表面に垂直な方向に電場振動主成分をもつ波であり、当該方向に電場振動する光（Ｐ偏光の光）が、表面プラズモンＳＰの励起光として機能するが、以上に述べた如く、ラジアル偏光ＬＧビーム１５（図２参照）は、この条件を満足している。
【００９０】
このようにして、表面プラズモンＳＰとの間で位相整合条件を満たす局在化されたエバネッセント波を用いて、表面プラズモンＳＰはラジアル偏光ＬＧビームと光カップリングできる。そして、光カップリング手段２１７として、以上に述べたオット光学配置を採用することにより、薄膜金属に限らず、バルク状の金属基板２１１であっても表面プラズモンＳＰを励起でき有益な場合がある。
（第３実施形態）
上述の第１および第２実施形態の表面プラズモンＳＰの電場増強構造では、表面プラズモンＳＰを、光学プリズム（ここでは誘電体１２、２１２）を用いて励起している。第３実施形態では、これに代えて、回折格子を用いて表面プラズモンＳＰを励起する方法について述べる。
【００９１】
なお、光カップリング手段の構成以外の本実施形態の表面プラズモンＳＰの電場増強構造の構成は、第１実施形態の表面プラズモンＳＰの電場増強構造１００の構成と同じであるので、ここでは、両者に共通する構成および動作の説明は省略する。
【００９２】
図６は、本実施形態の表面プラズモンの電場増強構造の光カップリング手段を模式的に示した断面図である。なお、図６では、光カップリング手段３１７以外の構成の図示は省略している。
【００９３】
光カップリング手段３１７は、図６に示したように、深さ方向に先細り（例えばテーパ状）の窪み空間３１４が形成された金属体を備える。
【００９４】
上述の金属体は、図６に示した如く、金属基板３１１であっても良く、この場合には、適宜の穴あけ法（例えばフォーカスイオンビーム法）により窪み空間３１４が金属基板３１１の表面側から形成される。そして、この窪み空間３１４は、断面視において、金属基板２１１の裏面との間の一対のなす角φが同程度（好ましくは同一）になるように傾斜するテーパ状の金属基板３１１の傾斜面３１１ａにより区画されている。
【００９５】
また、金属体は、基材としての誘電基板（図示せず）を有しても良く、この場合には、この誘電基板に、適宜の穴あけ法（例えばフォーカスイオンビーム法）により窪み空間３１４と同じ類の穴（図示せず）が形成された後、表面プラズモンＳＰが局在化された金属として機能する金属薄膜（図示せず）が、この穴を区画する誘電基板の表面を覆うようにして真空蒸着形成または真空スパッタリング形成される。
【００９６】
金属基板３１１や金属薄膜の材料例としては、金、銀、アルミニウム、銅およびプラチナがあるが、その中でも、金は、空気中で酸化され難く好適である。
【００９７】
窪み空間３１４の３次元形状は、深さ方向に向かって先鋭化（角度θ）する楔形であれば如何なる形状に区画されてもよいが、第１実施形態で述べた如く、表面プラズモンＳＰの励起光としてドーナツ状（円環状）のラゲールガウシアンビームを用いる場合には、円錐状に区画されることが好ましい。
【００９８】
また、光カップリング手段３１７は、更に、金属体３１１の傾斜面３１１ａに一体的に形成された複数の回折格子３０１を備える。図６に例示した回折格子３０１は、傾斜面３１１ａから突出する環状の突起であるが、これは環状の溝であってもよい。なお、回折格子３０１の配置や形状の設計は、ラジアル偏光ＬＧビームの光の波長を適切に選択できるようになされているが、このような設計技術は公知であり、ここでは詳細な説明は省く。
【００９９】
次に、本実施形態の光カップリング手段３１７の光カップリング動作の一例について図６を参照しながら説明する。
【０１００】
まず、光学系（図示せず）からで射されたラジアル偏光ＬＧビーム１５（図２参照）が、その円環状の光強度ピークの分布を円錐状に区画された窪み空間３１４の裾の円周に沿うように集光され、所定の入射角で光カップリング手段３１７の窪み空間３１４内の回折格子３０１に向けて入射する。これにより、ラジアル偏光ＬＧビーム１５の光エネルギーを、表面プラズモンＳＰの集束効果により集中させて、効率良く利用できる。なお、表面プラズモンＳＰは、金属体３１１の表面（傾斜面３１１ａ）近傍の外部空間において、この表面に垂直な方向に電場振動主成分をもつ波であり、当該方向に電場振動する光（Ｐ偏光の光）が、表面プラズモンＳＰの励起光として機能するが、以上に述べた如く、ラジアル偏光ＬＧビーム１５（図２参照）は、この条件を満足している。
【０１０１】
このようにして、ラジアル偏光ＬＧビーム１５の波長が回折格子３０１により選択されることにより、表面プラズモンＳＰはラジアル偏光ＬＧビーム１５との間で光カップリングできる。そして、光カップリング手段３１７として、以上に述べた回折格子３０１を採用することにより、薄膜金属に限らず、バルク状の金属基板３１１であっても表面プラズモンＳＰを励起できるとともに、光学プリズムを必要とせず、有益な場合がある。
【０１０２】
〔応用例〕
上述の各実施形態に述べた技術は、様々な用途への利用が想定されているが、ここでは、その一例として、第１実施形態の表面プラズモンＳＰの電場増強構造１００についての光カプラへの応用例について説明する。
【０１０３】
図１に示した表面プラズモンＳＰの電場増強構造１００において電場増強される先端部（金属体１１の頂点）に、ナノサイズ（例えば光の１／１０波長の直径；例えば６００ｎｍの赤色の可視光であれば、約６０ｎｍ）の金属ワイヤを接続させることにより、この金属ワイヤに光を伝送させることができる。これにより、光導波路のサイズが光波長よりも小さくすることが困難であるという既存の光技術の限界を打破する超小型の光デバイスが実現される可能性がある。そして、この場合、上述の表面プラズモンＳＰの電場増強構造１００は、ナノサイズの金属ワイヤに光エネルギーを注入する光カプラとして利用される。なお、このような金属ワイヤに代えて、上述の先端部に分子を配置させ、この分子を光エネルギーで励起するという分子デバイスへの応用も想定される。
【０１０４】
また、図１に示した表面プラズモンＳＰの電場増強構造１００の他の応用形態として、表面プラズモンＳＰの電場増強構造１００において電場増強される先端部を、完全に尖らせずに若干丸めた後、その状態でＺ方向に延在させるように改変してもよい。例えば、この金属体１１の先端部を、Ｘ方向の幅寸法として見た場合において光の１／３波長程度（例えば６００ｎｍの赤色の可視光であれば、約２００ｎｍの幅）に丸めると、この先端部は、表面プラズモンＳＰの電場増強が起こり始める状態に至ると考えられている。
【０１０５】
よって、金属体１１の先端部を光の１／３波長程度のＸ方向の幅になるように丸め、金属体１１をその幅で所定距離分、Ｚ方向に延ばして、その後、この金属体をその先端で完全に尖らせてもよい。そうすると、この金属体が延在する部分については、表面プラズモンＳＰの電場増強の起こり始めに基づく光の伝送路として機能させることができ、金属体１１の完全に尖った先端において、再び、電場増強がなされる。
【０１０６】
このような構成により、表面プラズモンＳＰの電場増強構造１００を基板上にデバイス化し易くなると考えられる。
【産業上の利用可能性】
【０１０７】
本発明によれば、深さ方向に先細りの窪み空間が形成された金属体の先端近傍の表面において、光の進行方向に表面プラズモンの電場増強を適切かつ充分に行える表面プラズモンの電場増強構造が得られ、これにより、本発明の表面プラズモンの電場増強構造は、例えば、光カプラなどの光デバイスの用途に利用できる。
【図面の簡単な説明】
【０１０８】
【図１】第１実施形態による表面プラズモンの電場増強構造の一構成例を模式的に示した断面図である。
【図２】ラジアル偏光ＬＧビームの光強度分布および偏光について模式的に示した図である。
【図３】表面プラズモンを励起させるレーザ光のフォーカシング時の電場ベクトルの様子を模式的に描いた図である。
【図４】第１実施形態の変形例による表面プラズモンの電場増強構造の一構成例を模式的に示した断面図である。
【図５】第２実施形態の表面プラズモンの電場増強構造の光カップリング手段を模式的に示した断面図である。
【図６】第３実施形態の表面プラズモンの電場増強構造の光カップリング手段を模式的に示した断面図である。
【図７】円錐形状の誘電体の先端近傍の金属体の表面における表面プラズモンの電場増強の様子を電気力線で表した図である。
【符号の説明】
【０１０９】
１１  金属体
１１ａ  傾斜内面
１１ｂ  傾斜外面
１２、１１２、２１２  誘電体
１２ａ、１１２ａ  側面
１３  外部領域
１４、１１４、２１４  窪み空間
１５  ラジアル偏光ＬＧビーム
１６  光学系
１７、２１７、３１７  光カップリング手段
１００、１１０  表面プラズモンの電場増強構造
２１１、３１１  金属基板
２１１ａ、３１１ａ  傾斜面
３０１  回折格子
ＳＰ  表面プラズモン
Ｐ  頂点
Ｌ  仮想直線
θ  円錐頂角
Φ  なす角
【図１】
2008196992.tif 000003
【図２】
2008196992.tif 000004
【図３】
2008196992.tif 000005
【図４】
2008196992.tif 000006
【図５】
2008196992.tif 000007
【図６】
2008196992.tif 000008
【図７】
2008196992.tif 000009